(57)【特許請求の範囲】
【請求項１】
画素がアクティブ素子にて駆動される中間調画像が表示できる液晶表示パネルを有し、外部からの入射光を反射させて表示を行う反射型の液晶表示装置における、該液晶表示装置の主電源ＯＦＦ時に液晶表示パネルの表示画像を消去させる表示画像の消去方法であって、
上記液晶表示装置の主電源がＯＦＦされたことを検出する電源ＯＦＦ検出ステップと、
上記液晶表示装置の主電源がＯＦＦされた後も液晶表示パネルに供給される電源電力を一定期間保持するパネル電力保持ステップと、
上記電源ＯＦＦ検出ステップにて主電源ＯＦＦが検出されると、上記液晶表示装置の補助電源からの電力供給にて、上記液晶表示パネルの全ての画素がＯＮレベルとなるように液晶飽和電圧を上記液晶表示パネルの全ての画素の液晶に印加し、その後、上記液晶表示パネルの全ての画素がＯＦＦレベルとなるような電圧を上記液晶表示パネルの全ての画素に印加する消去ステップとを有し、
上記の消去ステップは、ゲートドライバより１垂直期間内の垂直帰線期間に全ゲート線上のアクティブ素子を同時にＯＮさせるゲート駆動信号を出力させるゲート側補償ステップと、上記ゲート駆動信号と同期するように液晶表示パネルの全ての画素をＯＮレベルとするような映像信号をソースドライバより出力させるソース側補償ステップとを有しており、
１垂直帰線期間に液晶表示パネルの全ての画素がＯＮレベルとなるようにさせるとともに、
上記ソース側補償ステップは、上記ゲート駆動信号と同期するように液晶表示パネルの全ての画素をＯＮレベルとするような映像信号を、複数の色の映像信号からなる複合状態で生成することを特徴とする液晶表示画像の消去方法。
【請求項２】
上記液晶表示パネルの全ての画素をＯＮレベルとするような複合状態の映像信号は、上記主電源のＯＮ時に上記液晶表示パネルに入力される通常の映像信号とは別のバスラインに出力され、
上記電源ＯＦＦ検出ステップにて主電源ＯＦＦが検出されると、上記両映像信号の出力の上記液晶表示パネルへの入力が切替制御されることで、上記ソース側補償ステップでは、上記液晶表示パネルの全ての画素をＯＮレベルとするような映像信号が上記液晶表示パネルに入力されるとともに、
上記垂直帰線期間に全ゲート線上のアクティブ素子を同時にＯＮさせるゲート駆動信号は、上記主電源のＯＮ時に上記液晶表示パネルに入力される、上記液晶パネルのゲート線上のアクティブ素子を１水平期間毎順次ＯＮするゲート駆動信号とは、別々のバスラインに出力され、
上記電源ＯＦＦ検出ステップにて主電源ＯＦＦが検出されると、上記両ゲート駆動信号の出力の上記液晶表示パネルへの入力が切替制御されることで、上記ゲート側補償ステップでは、１垂直帰線期間に全ゲート線上のアクティブ素子を同時にＯＮさせるゲート駆動信号が上記液晶表示パネルに入力されることを特徴とする請求項１記載の液晶表示画像の消去方法。
【請求項３】
上記液晶表示パネルの全ての画素をＯＮレベルとするような複合状態の映像信号は、上記液晶表示パネルの全ての画素がＯＦＦレベルとなるような複合状態の映像信号とは別のバスラインに出力され、
上記消去ステップでは、上記両映像信号の出力の上記液晶表示パネルへの入力が切替制御され、
１垂直帰線期間に液晶表示パネルの全ての画素をＯＮレベルとした後、続けてＯＦＦレベルとすることで、１垂直期間内で、液晶表示パネルの全ての画素をＯＮレベルとした後、続けてＯＦＦレベルとすることを特徴とする請求項１記載の液晶表示画像の消去方法。
【請求項４】
１垂直帰線期間に液晶表示パネルの全ての画素をＯＮレベルとした後、続けてＯＦＦレベルに切り換わる複合状態の映像信号と、上記主電源のＯＮ時に上記液晶表示パネルに入力される通常の映像信号とが別々のバスラインに出力され、
上記電源ＯＦＦ検出ステップにて主電源ＯＦＦが検出されると、上記両映像信号の出力の上記液晶表示パネルへの入力が切替制御されることで、上記ソース側補償ステップでは、上記液晶表示パネルの全ての画素をＯＮレベルとするような映像信号が上記液晶表示パネルに入力されることを特徴とする請求項１記載の液晶表示画像の消去方法。
【請求項５】
画素がアクティブ素子にて駆動される中間調画像が表示できる液晶表示パネルを有する外部からの入射光を反射させて表示を行う反射型の液晶表示装置における、該液晶表示装置の主電源ＯＦＦ時に液晶表示パネルの表示画像を消去させる表示画像の消去方法であって、
上記液晶表示装置の主電源がＯＦＦされたことを検出する電源ＯＦＦ検出ステップと、
上記液晶表示装置の主電源がＯＦＦされた後も液晶表示パネルに供給される電源電力を一定期間保持するパネル電力保持ステップと、
上記電源ＯＦＦ検出ステップにて主電源ＯＦＦが検出されると、上記液晶表示装置の補助電源からの電力供給にて、上記液晶表示パネルの全ての画素がＯＮレベルとなるように液晶飽和電圧を上記液晶表示パネルの全ての画素の液晶に印加し、その後、上記液晶表示パネルの全ての画素がＯＦＦレベルとなるような電圧を上記液晶表示パネルの全ての画素に印加する消去ステップとを有し、
上記の消去ステップは、ゲートドライバより１垂直期間内の垂直帰線期間及び該期間を超えて全ゲート線上のアクティブ素子を同時にＯＮさせるようなゲート駆動信号を出力させるゲート側補償ステップと、上記ゲート駆動信号と同期するように、上記全ての画素をＯＮレベルとした後続けて全ての画素をＯＦＦレベルとするような映像信号をソースドライバより出力させるソース側補償ステップとを有しており、
上記ソース側補償ステップは、上記ゲート駆動信号と同期するように液晶表示パネルの全ての画素をＯＮレベルとするような映像信号を、複数の色の映像信号からなる複合状態で生成することを特徴とする液晶表示画像の消去方法。
【請求項６】
上記液晶表示装置に設けられた主電源のスイッチは、一回のスイッチ操作毎に判定パルスを出力し、
上記電源ＯＦＦ検出ステップは、液晶表示装置がＯＮされている状態で該判定パルスが出力されると液晶表示装置の主電源がＯＦＦされたことを検出し、
上記パネル電力保持ステップは、上記電源ＯＦＦ検出ステップにて主電源のＯＦＦが検出されると、主電源からの液晶表示パネルに電力供給を行う主電源線上に配設されたスイッチ手段を、所定の時間経過した後にＯＦＦさせることを特徴とする請求項１ないし５の何れか１項に記載の液晶表示画像の消去方法。
【請求項７】
画素がアクティブ素子にて駆動される中間調画像が表示できる液晶表示パネルを有し、外部からの入射光を反射させて表示を行うとともに、液晶表示装置の主電源がＯＦＦされた後も上記液晶表示パネルを駆動する反射型の液晶表示装置の駆動方法であって、
上記液晶表示装置の主電源ＯＦＦ時に、上記液晶表示パネルの表示画像を、請求項１ないし６の何れか１項に記載の液晶表示画像の消去方法を用いて消去することを特徴とする液晶表示装置の駆動方法。
【請求項８】
画素がアクティブ素子にて駆動される中間調画像が表示できるゲストホスト型の液晶表示パネルを有し、外部からの入射光を反射させて表示を行うとともに、液晶表示装置の主電源がＯＦＦされた後も上記液晶表示パネルを駆動する反射型の液晶表示装置の駆動方法であって、
上記液晶表示装置の主電源ＯＦＦ時に、上記液晶表示パネルの表示画像を、請求項１ないし６の何れか１項に記載の液晶表示画像の消去方法を用いて消去することを特徴とする液晶表示装置の駆動方法。
【発明の詳細な説明】
【０００１】
【発明の属する技術分野】
本発明は、例えば、アクティブマトリクス型液晶表示パネルのように、記憶保持機能をもった液晶表示パネルの表示画像を、液晶表示装置の電源ＯＦＦと共に速やかに消去するための液晶表示画像の消去方法並びにそれを用いた液晶表示装置の駆動方法に関するものである。
【０００２】
【従来の技術】
近年、パーソナルコンピュータ、テレビ、ワードプロセッサ、ビデオカメラ等への液晶表示装置の応用がさらに進展する一方で、このような機器に対しては、小型化、省電力化、低コスト化等、更なる高機能化に対する要望が高まっている。これらの要望を満たすべく、最近では、バックライトの光を利用する透過型液晶表示装置に替えて、バックライトを用いずに反射板を用いて外部からの入射光を反射させて表示を行う反射型液晶表示装置の開発が進められている。
【０００３】
さらに、反射型液晶表示装置の中でも、ＴＦＴ（薄膜トランジスタ）等のアクティブ素子にて画素を駆動させるようにしたアクティブマトリクス型を採用した反射型液晶表示装置が、単純マトリクス型の反射型液晶表示装置よりも高デューティで高画質表示が得られるといったことで注目されている。
【０００４】
ところが、上記のアクティブマトリクス型の液晶表示パネルを備えた液晶表示装置では、液晶表示装置の電源をＯＦＦした際、液晶の電圧保持や、アクティブ素子からの電源ＯＦＦ時の異常電圧などにより、電源ＯＦＦ直前の映像が電源ＯＦＦ後もしばらく残像として表示されてしまう。その結果、表示器としての品質低下が生じている。
【０００５】
このような残像は、透過型液晶表示装置の場合、バックライトの電源を液晶表示装置の電源をＯＦＦするのと同時、または先にバックライトの電源をＯＦＦにしてから液晶表示パネルを電圧無印加状態にすることで見え難くすることができる。しかしながら、反射型液晶表示装置では、入射光を遮ることができないので残像を見え難くすることができず、表示異常が顕著に現れてしまう。
【０００６】
さらに、このような液晶に保持された電荷は、残像による表示品位の問題だけでなく、異常電圧によって液晶の寿命にも悪影響を与えている。つまり、液晶に保持された電荷は、自然放電によってＧＮＤレベルに低下するまでの数秒間もの間保持されたままとなるため、この期間に液晶に印加される異常電圧により、液晶の劣化が起こることとなる。
【０００７】
このような電源ＯＦＦ時の異常表示である残像を消去する方法として、特開平１−１７０９８６号公報には、液晶表示パネルに供給される動作電力を、電源ＯＦＦ後も所定時間保持する電源保持回路を設けておき、この電源保持回路より得られる電力をゲートドライバに供給することにより、一定期間アクティブ素子をＯＮさせ、液晶表示パネル内に保持された電荷を放電させ、残像を消去する方法が開示されている。図３１に、その駆動波形を示す。
【０００８】
【発明が解決しようとする課題】
ところで、アクティブマトリクス型の液晶表示パネルには、カラー表示の際、液晶に印加する電圧が閾値電圧から飽和電圧までの間で多階調に制御されるが、液晶への印加電圧と液晶の応答速度との間には、図３２（ａ）に示すような関係がある。但し、図３２（ａ）では、印加電圧に替えて８階調表示の際の階調数を表しており、階調数と印加電圧、及びこれらと透過率との関係を、図３２（ｂ）に示す。
【０００９】
図３２（ａ）から分かるように、液晶の応答速度は階調間で遅くなり、特に閾値電圧付近階調間で遅くなる。これは、閾値電圧付近の電圧が印加された状態では液晶のひずみが小さくて復元するためのエネルギーが小さいためである。
【００１０】
したがって、液晶表示装置の電源をＯＦＦした時点で閾値電圧付近の中間調の残像が残っていると、その復元エネルギーが小さいため、上記特開平１−１７０９８６号公報の消去方法のように、電源ＯＦＦ後、ある一定期間ゲートをアクティブレベルにして液晶に保持された電荷を逃がすようにしただけでは、電荷が逃げるのに時間がかり、残像を速やかに消去することができない。
【００１１】
また、単にゲートドライバの出力のみをアクティブレベルにしても、ソースドライバの動作状態や液晶表示パネル内の対向電極より液晶に印加される電圧の状態によっては完全に０電位にならず、実質的には残留電圧が印加される結果となるため、所望するような残像消去効果は得られないと思料される。
【００１２】
その結果、透過型液晶表示装置では、バックライトの消灯後、この消去方法で電源をＯＦＦしても、短時間ではあるが薄く残像が見え表示品位の低下が見られる。また、残像が消去するまでに時間がかかると、短時間でも保持された電荷の影響により液晶に異常電圧が印加されるため、液晶が劣化することとなる。
【００１３】
さらに反射型液晶表示装置では、透過型液晶表示装置と異なり電源ＯＦＦ後もバックライトを常時点灯しているのと同じ状態であるので、透過型のものよりも残像がはっきりと見えてしまい、液晶の劣化の問題は同程度であるが、表示品位は透過型よりさらに悪くなる。
【００１４】
本発明は、上記課題に鑑みてなされたもので、その目的は、残像を速やかに消去すると共に、液晶の劣化を抑制できる液晶表示画像の消去方法を提供することにある。
【００１５】
【課題を解決するための手段】
上記の課題を解決するために、本発明の液晶表示画像の消去方法は、画素がアクティブ素子にて駆動される中間調画像が表示できる液晶表示パネルを有し、外部からの入射光を反射させて表示を行う反射型の液晶表示装置における、該液晶表示装置の主電源ＯＦＦ時に液晶表示パネルの表示画像を消去させる表示画像の消去方法であって、上記液晶表示装置の主電源がＯＦＦされたことを検出する電源ＯＦＦ検出ステップと、上記液晶表示装置の主電源がＯＦＦされた後も液晶表示パネルに供給される電源電力を一定期間保持するパネル電力保持ステップと、上記電源ＯＦＦ検出ステップにて主電源ＯＦＦが検出されると、上記液晶表示装置の補助電源からの電力供給にて、上記液晶表示パネルの全ての画素がＯＮレベルとなるように液晶飽和電圧を上記液晶表示パネルの全ての画素の液晶に印加し、その後、上記液晶表示パネルの全ての画素がＯＦＦレベルとなるような電圧を上記液晶表示パネルの全ての画素に印加する消去ステップとを有し、上記の消去ステップは、ゲートドライバより１垂直期間内の垂直帰線期間に全ゲート線上のアクティブ素子を同時にＯＮさせるゲート駆動信号を出力させるゲート側補償ステップと、上記ゲート駆動信号と同期するように液晶表示パネルの全ての画素をＯＮレベルとするような映像信号をソースドライバより出力させるソース側補償ステップとを有しており、１垂直帰線期間に液晶表示パネルの全ての画素がＯＮレベルとなるようにさせるとともに、上記ソース側補償ステップは、上記ゲート駆動信号と同期するように液晶表示パネルの全ての画素をＯＮレベルとするような映像信号を、複数の色の映像信号からなる複合状態で生成することを特徴とする。
【００１６】
また、上記の課題を解決するために、本発明の液晶表示画像の消去方法は、画素がアクティブ素子にて駆動される中間調画像が表示できる液晶表示パネルを有する外部からの入射光を反射させて表示を行う反射型の液晶表示装置における、該液晶表示装置の主電源ＯＦＦ時に液晶表示パネルの表示画像を消去させる表示画像の消去方法であって、上記液晶表示装置の主電源がＯＦＦされたことを検出する電源ＯＦＦ検出ステップと、上記液晶表示装置の主電源がＯＦＦされた後も液晶表示パネルに供給される電源電力を一定期間保持するパネル電力保持ステップと、上記電源ＯＦＦ検出ステップにて主電源ＯＦＦが検出されると、上記液晶表示装置の補助電源からの電力供給にて、上記液晶表示パネルの全ての画素がＯＮレベルとなるように液晶飽和電圧を上記液晶表示パネルの全ての画素の液晶に印加し、その後、上記液晶表示パネルの全ての画素がＯＦＦレベルとなるような電圧を上記液晶表示パネルの全ての画素に印加する消去ステップとを有し、上記の消去ステップは、ゲートドライバより１垂直期間内の垂直帰線期間及び該期間を超えて全ゲート線上のアクティブ素子を同時にＯＮさせるようなゲート駆動信号を出力させるゲート側補償ステップと、上記ゲート駆動信号と同期するように、上記全ての画素をＯＮレベルとした後続けて全ての画素をＯＦＦレベルとするような映像信号をソースドライバより出力させるソース側補償ステップとを有しており、上記ソース側補償ステップは、ゲート側補償ステップより出力されるゲート駆動信号と同期するように液晶表示パネルの全ての画素をＯＮレベルとするような映像信号を、複数の色の映像信号からなる複合状態で生成することを特徴とする。
【００１７】
これによれば、液晶表示装置の電源がＯＦＦされると、電源ＯＦＦ検出ステップによってこれが検出され、パネル電力保持ステップによって、液晶表示装置の電源がＯＦＦされた後も液晶表示パネルに供給される電源電力を一定期間保持する。これにより、液晶表示装置の電源がＯＦＦされた後も液晶表示パネルを駆動できる。
【００１８】
そして、電源ＯＦＦ検出ステップにて電源ＯＦＦが検出されると、消去ステップにて、パネル電力保持ステップからの電力供給にて、液晶表示パネルを液晶飽和電圧にて全ての画素をＯＮレベルとし、その後続けて液晶表示パネルの全ての画素をＯＦＦレベルとする。
【００１９】
これにより、たとえ液晶表示パネルに中間調の画像が表示され、液晶のひずみが小さくて復元のためのエネルギーが小さくても、一旦、液晶表示パネルの液晶に飽和電圧が印加されて復元のためのエネルギーが充分に高められるので、その後の全ての画素をＯＦＦレベルとすることにより、液晶が速やかに元の状態に戻り、速やかに残像が消去されることとなる。
【００２０】
また、上記構成は、言い換えると、上記のソース側補償ステップが、複数の色の映像信号からなる複合の映像信号を単色の映像信号に色毎に分配する映像信号分配ステップの入力側で行うことを特徴としている。
【００２１】
これによれば、ソース側補償ステップは、ゲート側補償ステップより出力されるゲート駆動信号と同期するように全面点灯するような映像信号を、複数の色の映像信号からなる複合状態で生成するので、単色の映像信号に分配された後に生成する場合に比べて、ソース側補償ステップを簡易にできる。
【００２２】
また、本発明の液晶表示画像の消去方法において、液晶表示パネルの全ての画素をＯＮレベルとするような複合状態の映像信号は、上記主電源のＯＮ時に上記液晶表示パネルに入力される通常の映像信号とは別のバスラインに出力され、上記電源ＯＦＦ検出ステップにて主電源ＯＦＦが検出されると、上記両映像信号の出力の上記液晶表示パネルへの入力が切替制御されることで、上記ソース側補償ステップでは、上記液晶表示パネルの全ての画素をＯＮレベルとするような映像信号が上記液晶表示パネルに入力されるとともに、上記垂直帰線期間に全ゲート線上のアクティブ素子を同時にＯＮさせるゲート駆動信号は、上記主電源のＯＮ時に上記液晶表示パネルに入力される、上記液晶パネルのゲート線上のアクティブ素子を１水平期間毎順次ＯＮするゲート駆動信号とは、別々のバスラインに出力され、上記電源ＯＦＦ検出ステップにて主電源ＯＦＦが検出されると、上記両ゲート駆動信号の出力の上記液晶表示パネルへの入力が切替制御されることで、上記ゲート側補償ステップでは、１垂直帰線期間に全ゲート線上のアクティブ素子を同時にＯＮさせるゲート駆動信号が上記液晶表示パネルに入力されることが好ましい。
【００２３】
また、本発明の液晶表示画像の消去方法において、液晶表示パネルの全ての画素をＯＮレベルとするような複合状態の映像信号は、上記液晶表示パネルの全ての画素がＯＦＦレベルとなるような複合状態の映像信号とは別のバスラインに出力され、上記消去ステップでは、上記両映像信号の出力の上記液晶表示パネルへの入力が切替制御され、１垂直帰線期間に液晶表示パネルの全ての画素をＯＮレベルとした後、続けてＯＦＦレベルとすることで、１垂直期間内で、液晶表示パネルの全ての画素をＯＮレベルとした後、続けてＯＦＦレベルとすることが好ましい。
【００２４】
また、本発明の液晶表示画像の消去方法は、１垂直帰線期間に液晶表示パネルの全ての画素をＯＮレベルとした後、続けてＯＦＦレベルに切り換わる複合状態の映像信号と、上記主電源のＯＮ時に上記液晶表示パネルに入力される通常の映像信号とが別々のバスラインに出力され、上記電源ＯＦＦ検出ステップにて主電源ＯＦＦが検出されると、上記両映像信号の出力の上記液晶表示パネルへの入力が切替制御されることで、上記ソース側補償ステップでは、上記液晶表示パネルの全ての画素をＯＮレベルとするような映像信号が上記液晶表示パネルに入力される方法であることが好ましい。
【００２５】
また、本発明の液晶表示画像の消去方法は、上記の構成において、上記液晶表示装置に設けられた主電源のスイッチは、一回のスイッチ操作毎に判定パルスを出力し、上記電源ＯＦＦ検出ステップは、液晶表示装置がＯＮされている状態で該判定パルスが出力されると液晶表示装置の主電源がＯＦＦされたことを検出し、パネル電力保持ステップは、上記電源ＯＦＦ検出ステップにて主電源のＯＦＦが検出されると、主電源からの液晶表示パネルに電力供給を行う主電源線上に配設されたスイッチ手段を、所定の時間経過した後にＯＦＦさせることを特徴としている。
【００２６】
上記電源のスイッチは、トグルスイッチ等、機械的に接続あるいは切断するようなスイッチではなく、タクトスイッチ等、システム的に接続あるいは切断するようなスイッチである。
【００２７】
これによれば、パネル電力保持ステップは、この電源のスイッチから出力される判定パルスを基に電源のＯＮ／ＯＦＦを判定し、ＯＮ→ＯＦＦに切り換えられた場合、主電源線に配され、主電源手段からの電力供給をリレースイッチ等、別の制御回路を用いて接続あるいは切断制御できるスイッチ手段を、所定の時間経過した後にＯＦＦさせるので、パネル電力保持ステップを、補助電源等を別個に設けることなく、システム的に実現できる。
【００２８】
また、本発明の液晶表示装置の駆動方法は、画素がアクティブ素子にて駆動される中間調画像が表示できる液晶表示パネルを有し、外部からの入射光を反射させて表示を行うとともに、液晶表示装置の主電源がＯＦＦされた後も上記液晶表示パネルを駆動する反射型の液晶表示装置の駆動方法であって、上記液晶表示装置の主電源ＯＦＦ時に、上記液晶表示パネルの表示画像を、上記液晶表示画像の消去方法を用いて消去することが好ましい。
【００２９】
反射型の液晶表示装置は、電源ＯＦＦしても周囲光があるので特に残像が目立ちやすいが、上記の消去方法と組み合わせることで、その表示品位を格段に向上させることができ、表示品位の優れた反射型液晶表示装置の液晶表示装置の駆動方法を実現できる。
【００３０】
また、本発明の液晶表示装置の駆動方法は、画素がアクティブ素子にて駆動される中間調画像が表示できるゲストホスト型の液晶表示パネルを有し、外部からの入射光を反射させて表示を行うとともに、液晶表示装置の主電源がＯＦＦされた後も上記液晶表示パネルを駆動する反射型の液晶表示装置の駆動方法であって、上記液晶表示装置の主電源ＯＦＦ時に、上記液晶表示パネルの表示画像を、上記液晶表示画像の消去方法を用いて消去することが好ましい。
【００３１】
ゲストホスト型の液晶は、特に液晶の応答速度が遅く残像が消え難いが、上記の消去装置と組み合わせることで、残像を速やかに消去させて、その表示品位を格段に向上させることができ、表示品位の優れたゲストホスト型の液晶表示装置の液晶表示装置の駆動方法を実現できる。
【００３２】
【発明の実施の形態】
〔実施の形態１〕
本発明に係る実施の一形態について図１ないし図３に基づいて説明すれば、以下の通りである。
【００３３】
本実施の形態の液晶表示装置は、図１に示すように、液晶表示パネル１、ソース駆動部２、ゲート駆動部３、駆動信号発生回路８、電源制御部９、補助電源１０、マイクロコンピュータ（以下、マイコンと称する）１１、検出器１２、ペン入力装置１３、及び主電源１４を備えている。
【００３４】
液晶表示パネル１は、一対のガラス基板が貼り合わされ、その間にゲストホスト液晶が挟持された構成であり、また、反射板を備えた、表示に外部からの入射光を利用する反射型タイプである。図２に、その等価回路図を示す。該図に示すように、液晶表示パネル１では、液晶からなる複数の画素２２…がｍ行ｎ列のマトリクス状に配列されている。画素２２は、その表示電極２２ａが、アクティブ素子であるＴＦＴ２３のドレインに接続され、ＴＦＴ２３のソース及びゲートは、互いに直交するソース線２４及びゲート線２５にそれぞれ接続されている。また、画素２２には、表示電極２２ａと対向して対向電極２２ｂが形成されている。画素２２を構成する液晶に印加される電圧は、後述する映像信号に応じた電圧値であり、液晶の飽和電圧であるＯＮレベルの電圧から、液晶がＯＦＦする閾値電圧より低いＯＦＦレベルの電圧までの間の任意の電圧が印加される。
【００３５】
ソース駆動部２は、図１に示すように、映像信号分配回路５と、ドライバコントローラ４と、ソースドライバ６とから構成される。ソース駆動部２においては、後述する駆動信号発生回路８より入力される複数の色の映像信号からなる複合映像信号を、映像信号分配手段である映像信号分配回路５にてＲ・Ｇ・Ｂ毎の単色映像信号に分配する。そして、各単色映像信号を、ドライバコントローラ４よりソースドライバ６に入力される水平同期信号に同期して、上記した液晶表示パネル１のｎ本のソース線２４（２４ｌ〜２４ｎ）に一斉に出力する（図２参照）。これにより、１水平期間毎に、液晶表示パネル１の１行分の画素２２を表示させるべき単色映像信号が出力されることとなる。
【００３６】
ゲート駆動部３は、ドライバコントローラ４と、ゲートドライバ７とから構成される。ゲート駆動部３においては、上記した液晶表示パネル１のｍ本のゲート線２５（２５ｌ〜２５ｍ）を、順次１水平期間の間高レベルに駆動し、１行分のＴＦＴ２３を第１行から第ｍ行まで順次ＯＮさせる。これにより、ゲート駆動信号は対応する画素２２に印加されるようになる。
【００３７】
ドライバコントローラ４は、後述する駆動信号発生回路８より入力される複合映像信号を元にして、ソースドライバ６とゲートドライバ７の駆動を同期させるための同期信号である水平同期信号及び垂直同期信号を生成する回路である。また、ドライバコントローラ４は、シフトレジスタ（図示せず）を備え、ゲート駆動信号を生成する回路でもある。ドライバコントローラ４におけるシフトレジスタでは、第１段のデータ端子に垂直同期信号がスタート信号として供給され、各段のクロック端子に水平同期信号が供給されると、スタート信号（１垂直同期信号）が１水平期間ずつ順次遅延されたパルスが各段の出力端子より出力され、ゲートドライバ７に与えられる。これが、通常のゲート駆動信号である。ゲートドライバ７では、入力された上記パルスをレベル変換し、液晶表示パネル１のゲート線２５ｌ〜２５ｍに出力する（図２参照）。
【００３８】
駆動信号発生回路８は、通常は、図示しないメモリ等に記憶されている任意の複合映像信号を、映像信号発生回路５とドライバコントローラ４とに与えるものである。そして、駆動信号発生回路８は、別の機能として、後述する電源ＯＦＦ信号が入力されると、１垂直期間以上の期間、液晶表示パネル１が液晶飽和電圧が印加されて全面点灯するような複合映像信号を出力し、その後、全面消灯するような複合映像信号を出力するものでもある。つまり、この駆動信号発生回路８と、上記のドライバコントローラ４とに、本発明の消去手段としての機能が付加されている。
【００３９】
電源制御部９は、液晶表示装置の主電源１４から液晶表示パネル１へと供給される、液晶表示パネル１を駆動させるための電力供給を制御するものである。尚、図１では、主電源１４からの電力供給のバスラインが、駆動信号発生回路８にのみ接続されているが、液晶表示パネル１を駆動させるための駆動系である、上記したソース駆動部２やゲート駆動部３等にももちろん図示しないバスラインが接続されており、電力が供給されている。
【００４０】
マイコン１１は、液晶表示装置の各部分を制御する制御中枢である。そしてまた、マイコン１１には、ペン入力装置１３を用いてユーザの指示が入力されると、検出器１２にて座標位置との関係から指示内容が検出されて入力されるようになっている。これにより、マイコン１１においては、ペン入力装置１３を用いてユーザより液晶表示装置の主電源１４のＯＦＦが指示され、検出器１２よりその指示内容が入力されると、電源ＯＦＦ信号を主電源１４、補助電源１０、及び駆動信号発生回路８に出力するようになっている。
【００４１】
補助電源１０は、主電源１４から液晶表示パネル１への電力供給のバスライン上に配されており、パネル電力保持手段としての機能を有している。補助電源１０は、マイコン１１より電源ＯＦＦ信号が入力されると、液晶表示パネル１を駆動させるための動作電力を、駆動信号発生回路８、ソース駆動部２、ゲート駆動部３等へと供給するものである。
【００４２】
次に、上記構成を有する液晶表示装置における、ユーザより主電源１４をＯＦＦする指示がなされたときの動作を、図３の波形図を参照しながら説明する。
【００４３】
ユーザよりペン入力装置１３を用いて液晶表示装置の主電源１４をＯＦＦする指示が入力されると、検出器１２が指示内容を検出し、マイコン１１に電源ＯＦＦの指示がなされたことを入力する。マイコン１１では主電源１４のＯＦＦを指示する電源ＯＦＦ信号を、主電源１４、補助電源１０、及び駆動信号発生回路８へと出力する。
【００４４】
主電源１４は、この電源ＯＦＦ信号の入力によりＯＦＦする。これにて、電源制御部９を介しての液晶表示パネル１への電力供給が遮断される。一方、補助電源１０では、電源ＯＦＦ信号が入力されることでＯＮし、一定期間の間、主電源１４に替わり液晶表示パネル１へ動作のための電力を供給する。
【００４５】
そして、駆動信号発生回路８では、補助電源１０からの電力供給により駆動して、電源ＯＦＦ信号が入力されると、液晶表示パネル１を液晶の飽和電圧にて１垂直期間以上の一定期間全面点灯させるための複合映像信号を生成して、ソース駆動部２及びゲート駆動部３に出力する。これにより、ゲート駆動部３からは、図３に示すように、液晶表示パネル１のゲート線２５ｌ〜２５ｍを順次ＯＮ状態とするゲート駆動信号が入力され、該ゲート駆動信号と同期して、ソース駆動部２からは液晶表示パネル１のソース線２４ｌ〜２４ｎにＯＮレベル波形が印加され、液晶表示パネル１は１垂直期間以上の間全面点灯する。
【００４６】
さらに、駆動信号発生回路８は、その後続けて、液晶表示パネル１を１垂直期間以上の一定期間全面消灯させるための複合映像信号を生成して、ソース駆動部２及びゲート駆動部３に出力する。これにより、ゲート駆動部３からは、図３に示すように、液晶表示パネル１のゲート線２５ｌ〜２５ｍを順次ＯＮ状態とするゲート駆動信号が入力され、該ゲート駆動信号と同期して、ソース駆動部２からは、液晶表示パネル１のソース線２４ｌ〜２４ｎにＯＦＦレベル波形が印加され、液晶表示パネル１は１垂直期間以上の間全面消灯する。
【００４７】
その後、補助電源１０がＯＦＦし、液晶表示パネル１を含めて液晶表示装置の駆動が停止する。
【００４８】
以上のように、本実施の形態の液晶表示装置では、液晶表示装置の主電源１４がＯＦＦされても、補助電源１０による電力供給にて、液晶表示パネル１は液晶の飽和電圧にて一旦全面点灯され、その後続けて全面消灯される。
【００４９】
これにより、たとえ液晶表示パネル１に中間調の画像が表示され、液晶のひずみが小さく、しかも液晶が応答速度の遅いゲストホスト液晶であって、より一層元の状態に戻る復元エネルギーが小さくとも、一旦、液晶表示パネル１の全画素２２…に飽和電圧が印加され、復元のためのエネルギーが充分に高められるので、その後の全面消灯にて速やかに残像が消去されることとなる。そしてまた、短時間で保持された液晶の電荷を放電し、異常電圧による液晶の劣化も防ぐことが可能となる。
【００５０】
これらの結果、本液晶表示装置は反射型であるが、表示品位は従来の消去方法のものに比べて格段に向上された、優れたものとなる。
【００５１】
〔実施の形態２〕
本発明に係る実施の他の形態について図１、図４ないし図７に基づいて説明すれば、以下の通りである。尚、説明の便宜上、前記の実施の形態にて示した部材と同一の機能を有する部材には、同一の符号を付記し、その説明を省略する。
【００５２】
本実施の形態の液晶表示装置では、図４に示すように、駆動信号発生回路８’と映像信号分配回路５との間にソース側補償回路３１が配設され、かつ、ドライバコントローラ４’とゲートドライバ７との間にゲート側補償回路３０が配設されている。
【００５３】
そして、駆動信号発生回路８’からは、液晶表示パネル１を液晶飽和電圧にて全面点灯させるようなＯＮレベルの複合映像信号と、全面消灯させるようなＯＦＦレベルの複合映像信号とが、別々のバスライン（図示せず）に出力され、両出力の液晶表示パネル１への入力（ここでは、映像信号分配回路５への入力）が、ソース側補償回路３１にて切替制御されるようになっている。
【００５４】
図５に、ソース側補償回路３１の回路図を示す。スイッチＳＷ１の入力側からは、液晶表示装置の主電源１４のＯＦＦ時に駆動信号発生回路８’にて生成されるＯＮレベルの複合映像信号が入力されるようになっている。一方、スイッチＳＷ２の入力側からは、通常時は、駆動信号発生回路８’から任意の映像信号が入力され、主電源１４のＯＦＦ時にＯＦＦレベルの複合映像信号が入力されるようになっている。
【００５５】
そして、これらスイッチＳＷ１・ＳＷ２は、Ｌ（低）レベルの電圧が入力されるとＯＮするものであり、スイッチＳＷ２には通常Ｌレベルの電圧が印加されていて、ソース側補償回路３１からは通常の複合映像信号が出力されている。しかしながら、主電源１４をＯＦＦする指示が入力され、マイコン１１よりある期間パルス的にＨ（高）レベルになる電源ＯＦＦ信号が出力されてソース側補償回路３１に入力されると、スイッチＳＷ２はパルス的にＨレベルになってＯＦＦし、その間、インバータ３３を介してＬレベルの電圧が入力されるスイッチＳＷ１がＯＮして、ＯＮレベルの複合映像信号が出力することとなる。
【００５６】
ここで、マイコン１１より出力される電源ＯＦＦ電圧がパルス的に出力される時間は、１垂直期間内の通常映像信号が書き込まれない、垂直帰線期間であるブランキング期間の時間とほぼ同じに設定されており、これにより、ブランキング期間に液晶表示パネル１を液晶飽和電圧にて全面点灯させるようなＯＮレベルの複合映像信号が出力されることとなる。
【００５７】
一方、ドライバコントローラ４’からは、液晶表示パネル１のｍ本のゲート線２５ｌ〜２５ｍを、１水平期間毎順次ＯＮする通常のゲート駆動信号と、ブランキング期間にｍ本のゲート線２５ｌ〜２５ｍを全てＯＮするゲート駆動信号とが、別々のバスライン（図示せず）に出力され、両出力の液晶表示パネル１への入力（ここでは、ゲートドライバ７への入力）が、ゲート側補償回路３０にて、切替制御されるようになっている。
【００５８】
図６に、ゲート側補償回路３０の回路図を示す。スイッチＳＷ３の入力側からは、主電源１４のＯＦＦ時に、ドライバコントローラ４’より全ゲート線２５ｌ〜２５ｍを全てＯＮするゲート駆動信号が入力されるようになっている。一方、スイッチＳＷ４の入力側からは、通常のゲート駆動信号が入力されるようになっている。
【００５９】
これらスイッチＳＷ３・ＳＷ４は、前述のソース側補償回路３１のスイッチＳＷ１・ＳＷ２と同様、Ｌレベルの電圧が入力されるとＯＮするもので、スイッチＳＷ４には通常Ｌレベルの電圧が印加されていて、ゲート側補償回路３０からは通常のゲート駆動信号が出力され、マイコン１１よりある期間パルス的にＨレベルになる電源ＯＦＦ信号が出力されてゲート側補償回路３０に入力されてスイッチＳＷ３がパルス的にＯＮしたとき、全ゲート線２５ｌ〜２５ｍを全てＯＮするゲート駆動信号が入力される。尚、図４では記載を省略しているが、このようなゲート側補償回路３０は、ゲート線２５ｌ〜２５ｍの１ライン毎に設けられている。
【００６０】
このような構成を有する本実施の形態の液晶表示装置では、主電源１４のＯＦＦが指示された後の液晶表示パネル１に印加される駆動信号の波形図は図７に示すようになり、１垂直期間のブランキング期間に液晶表示パネル１が全面点灯されることとなる。これにより、１垂直期間内での全面点灯・全面消灯が可能となり、実施の形態１の液晶表示装置よりも、さらに速く残像消去が可能となり、それに伴い、異常電圧の印加による液晶の劣化をさらに効果的に抑制できる。
【００６１】
尚、本液晶表示装置では、駆動信号発生回路８’とソース側補償回路３１、及びドライバコントローラ４’とゲート側補償回路３０とで、本発明のソース側補償手段及びゲート側補償手段を備えた消去手段が構成されている。
【００６２】
ところで、本実施の形態の上記液晶表示装置のように、ブランキング期間を利用して液晶表示パネル１の全面点灯を行う液晶表示装置の構成としては、その他、図８、図９に示すような構成も可能である。
【００６３】
図８に示す液晶表示装置では、前述のソース側補償回路３１が、映像信号分配回路５の出力側である、映像信号分配回路５とソースドライバ６との間に配設されている。このような構成では、駆動信号発生回路８’からの複合映像信号が映像信号分配回路５を経ることで既にＲ・Ｇ・Ｂの単色映像信号に分配されているので、Ｒ・Ｇ・Ｂの各ソース配線毎に前述のソース側補償回路３１を設ける必要がある。
【００６４】
また、図９に示す液晶表示装置では、さらに、ソースドライバ６’に上記のソース側補償回路３１を設けた構成である。カラー画像あるいは白黒画像を形成するための複数の単色映像信号が入力されるソースドライバ６’に直接接続したため、この場合は、さらにソース線２４ｌ〜２４ｎの数だけ前述のソース側補償回路３１を設ける必要がある。
【００６５】
尚、このような、図８、図９の構成の液晶表示装置でも、液晶表示パネル１の駆動電圧の波形図は、図７と同じものとなるが、液晶表示装置の構成の簡素さから考えれば、図４の構成が最も望ましい。
【００６６】
〔実施の形態３〕
本発明に係る実施のさらに他の形態について図１０、図１１を基に説明すれば、以下の通りである。尚、説明の便宜上、前記の実施の形態にて示した部材と同一の機能を有する部材には、同一の符号を付記し、その説明を省略する。
【００６７】
本実施の形態の液晶表示装置では、図１０に示すように、駆動信号発生回路８’と映像信号分配回路５との間にソース側補償回路３１が配設され、かつ、ドライバコントローラ３５が、前の垂直同期信号をラッチして保持しておき、電源ＯＦＦ信号が入力されると、一斉に垂直同期信号を所定の期間引き延ばして出力するようになっている。
【００６８】
このような構成を有する本実施の形態の液晶表示装置では、主電源１４のＯＦＦが指示された後の液晶表示パネル１に印加される駆動信号の波形図は図１１に示すようになり、１垂直期間のブランキング期間を超えてＯＮするゲート駆動信号が、液晶表示パネル１のゲート線２５ｌ〜２５ｍに一斉に出力されることとなる。これにより、実施の形態２の液晶表示装置よりも、さらに速く残像消去が可能となり、それに伴い、異常電圧の印加による液晶の劣化をさらに効果的に抑制できる。
【００６９】
〔実施の形態４〕
本発明に係る実施のさらに他の形態について図１０、図１２を基に説明すれば、以下の通りである。尚、説明の便宜上、前記の実施の形態にて示した部材と同一の機能を有する部材には、同一の符号を付記し、その説明を省略する。
【００７０】
本実施の形態の液晶表示装置では、図１０に示すように、駆動信号発生回路８”と映像信号分配回路５との間にソース側補償回路３１’が配設され、かつ、ドライバコントローラ３５が、前の垂直同期信号をラッチして保持しておき、電源ＯＦＦ信号が入力されると、一斉に垂直同期信号を所定の期間引き延ばして出力するようになっている。
【００７１】
上記駆動信号発生回路８”からは、１垂直期間のブランキング期間内で、液晶表示パネル１を液晶飽和電圧にて全面点灯させるようなＯＮレベルから、続けて全面消灯させるようなＯＦＦレベルに切り換わる複合映像信号が出力され、該ＯＮレベル・ＯＦＦレベルの複合映像信号と通常の映像信号との両出力の液晶表示パネル１への入力（ここでは、映像信号分配回路５への入力）が、ソース側補償回路３１’にて切替制御されるようになっている。したがって、ソース側補償回路３１’の回路構成は、図５に示したソース側補償回路３１のものと同じであり、ただスイッチＳＷ１にＯＮレベル・ＯＦＦレベルの複合映像信号が入力され、スイッチＳＷ２に通常の複合映像信号が入力されるようになっている。
【００７２】
このような構成を有する本実施の形態の液晶表示装置では、主電源１４のＯＦＦが指示された後の液晶表示パネル１に印加される駆動信号の波形図は図１２に示すように、１垂直期間のブランキング期間内に、ゲート駆動信号が、液晶表示パネル１のゲート線２５ｌ〜２５ｍに一斉に出力され、その間に映像信号がＯＮされ続けてＯＦＦされることとなる。これにより、実施の形態３の液晶表示装置よりも、さらに速く残像消去が可能となり、それに伴い、異常電圧の印加による液晶の劣化をさらに効果的に抑制できる。
【００７３】
尚、上記した各実施の形態では、マイコン１１を用い、マイコン１１からの電源ＯＦＦ信号を用いたので、マイコン１１に主電源１４のＯＦＦを検出する機能を付加させて、特に主電源１４のＯＦＦを検出する電源ＯＦＦ検出手段を設けた構成とはしていないが、マイコン１１等を使用しない場合は、以下のようにすれば良い。
【００７４】
即ち、主電源１４からの出力電圧を観察し、電圧降下にて主電源１４がＯＦＦされたことを検出する検出器を設けておき、該検出器により、駆動信号発生回路８（８’・８”）から主電源１４のＯＦＦ時の映像信号を出力させる構成とする。この場合、検出器は、電圧があるレベルにまで低下したときに、駆動信号発生回路８（８’・８”）に主電源１４がＯＦＦされたことを知らせる信号を出力する構成としても良いが、主電源１４からの出力電圧が上下に振れた時に誤動作する虞れが有るので、それよりも、電圧が降下しはじめてある時間経過した時点で、駆動信号発生回路８（８’・８”）に主電源１４がＯＦＦされたことを知らせる信号を出力する構成とする方が望ましい。
【００７５】
また、上記した各実施の形態では、パネル電力保持手段として、補助電源１０を用いているが、これ以外に、マイコン１１を使用する場合は、マイコン１１により出力される電源ＯＦＦ信号にて主電源１４がＯＦＦされることを何らかの遅延手段にて、上述の補助電源１０が液晶表示パネル１を表示画像の消去のために駆動される間だけ遅延させる構成とすることも考えられる。
【００７６】
また、補助電源１０はそれ自身が発電能力を有している構成、或いは主電源１４からの電力供給をコンデンサ等を用いて蓄積しておく構成でも良い。
【００７７】
その他、ペン入力装置１３を使用したが、別段これに限られるものではなく、液晶表示装置に設けられている電源スイッチのＯＮ／ＯＦＦでも充分である。
【００７８】
〔実施の形態５〕
本発明に係る実施のさらに他の形態について図１３ないし図２４を基に説明すれば、以下の通りである。尚、説明の便宜上、前記の実施の形態にて示した部材と同一の機能を有する部材には、同一の符号を付記し、その説明を省略する。
【００７９】
本実施の形態の液晶表示装置では、図１３に示すように、液晶表示パネル１、ソースドライバ５２、ゲートドライバ５３、ソースドライバ用制御回路５４、ゲートドライバ用制御回路５５、電源制御回路５６、対向電極信号制御回路５７、判定スイッチ（電源スイッチ）５８、判定用電源５９、及びリレースイッチ６０から構成される。
【００８０】
ソースドライバ５２は、後述するソースドライバ用制御回路５４より出力される幾つかの制御信号、映像信号がそれぞれ、ソース制御信号線６１、映像信号線６２を介して供給され、また、後述する電源制御回路５６より、本駆動回路を動作させるための電源電圧が、ソース電源線６３を介して供給される。そして、ソースドライバ５２は、入力された映像信号を、幾つかの制御信号のうちの水平同期信号に同期して、前述した液晶表示パネル１のｎ本のソース線２４ｌ〜２４ｎに一斉に出力する（図２参照）。これにより、１水平期間毎に、液晶表示パネル
１の１行分の画素２２を表示させるためのデータ信号が出力されることになる。
【００８１】
なお、ここでは、映像信号をカラーの場合を想定して記載するが、仮に単色用の液晶表示パネルであっても、映像信号線以外の構造は殆ど変わらないので、ここではその説明を省略する。
【００８２】
ソースドライバ用制御回路５４は、上述したようにソースドライバ５２を制御するためのものであり、後述する電源制御回路５６より供給される電源電圧が、電源電圧線６７を介して入力される。また、ソースドライバ用制御回路５４には、原映像信号線６８を介して原映像信号が入力され、同期信号線６９を介して同期信号が入力される。そして、ソースドライバ用制御回路５４は、入力されるこれらの原映像信号、同期信号を元に所望の映像信号、制御信号を作成し、ソース制御信号線６１、映像信号線６２を介して、ソースドライバ５２に供給する。
【００８３】
また、このソースドライバ用制御回路５４には、前記に示した信号線６１・６２・６７・６８・６９の他に、ソースイネーブル信号線７０が接続されている。これは、電源制御回路５６より出力される消去動作を実施するかどうかを判定するためのソースイネーブル信号を伝達するためのものである。ソースドライバ用制御回路５４においては、このソースイネーブル信号がＨレベルの期間は、通常の映像信号に替えて、後述する対向電極信号と同相かつ同電圧レベルの矩形波信号をソースドライバ５２へと出力する。
【００８４】
ゲートドライバ５３には、後述するゲートドライバ用制御回路５５より出力される幾つかの制御信号が、ゲート制御信号線６４を介して入力され、また、電源制御回路５６より、本駆動回路を動作させるための電源電圧がゲート電源線６６を介して供給される。そして、ゲートドライバ５３は、上記液晶表示パネル１のｍ本のゲート線２５ｌ〜２５ｍを介して、ゲート制御信号線６４より入力される幾つかの制御信号を元に、通常のゲート駆動信号を出力して、１行分のＴＦＴ２３を第１行から第ｍ行まで１水平期間毎に順次ＯＮする。これにより、ゲート駆動信号は対応する画素２２に印加されることになる。
【００８５】
また、ゲートドライバ５３には、イネーブルパルス信号線６５を介して後述するイネーブルパルスが、ゲートドライバ用制御回路５５より供給される。ゲートドライバ５３は、イネーブルパルスが入力されたとき、通常のゲート駆動信号に替えて、イネーブルパルスをそのまま出力し、上記液晶表示パネル１のｍ本のゲート線２５ｌ〜２５ｍ上の全ＴＦＴ２３を同時に一斉にＯＮする。
【００８６】
ゲートドライバ用制御回路５５は、前述したようにゲートドライバ５３を制御するためのものであり、後述する電源制御回路５６より供給される電源電圧が、電源電圧線７１を介して入力され、また、同期信号線６９を介して同期信号が入力される。そして、ゲートドライバ用制御回路５５は、この同期信号を元に所望の制御信号を作成し、ゲート制御信号線６４を介して、ゲートドライバ５３に供給する。
【００８７】
また、ゲートドライバ用制御回路５５には、前記した信号線６４・６９・７１の他に、ゲートイネーブル信号線７２とイネーブルパルス信号線６５とが接続されている。ゲートイネーブル信号線７２は、電源制御回路５６より出力される消去動作を実施するかどうかを判定するためのものである。ゲートドライバ用制御回路５５においては、このゲートイネーブル信号がＨレベルで入力されると、所定のパルス幅の上記したイネーブルパルスを、イネーブルパルス信号線６５を介してゲートドライバ５３へと出力する。
【００８８】
対向電極信号制御回路５７は、液晶表示パネル１内の対向電極２２ｂに印加する対向電極信号を、同期信号線６９より入力される同期信号と電源制御回路５６より電源線７３を介して入力される電源電圧を元に制御するもので、対向電極信号を対向電極信号線７４を介して対向電極２２ｂに印加する。
【００８９】
また、対向電極信号制御回路５７にも、電源制御回路５６より出力される消去動作を実施するかどうかを判定するための対向イネーブル信号線７５も接続されている。対向電極信号制御回路５７は、対向イネーブル信号がＨレベルの期間、前述のソースドライバ用制御回路５４から出力される矩形波信号と同相かつ同電圧レベルの矩形波信号を対向電極信号として出力する。
【００９０】
判定スイッチ５８は、液晶表示装置のメインスイッチの役目をするものであり、判定スイッチ５８が押される毎に液晶表示装置はＯＮ／ＯＦＦの切り換えが行われる。判定スイッチ５８は、ＯＮ／ＯＦＦ判定信号を電源制御回路５６に出力しており、ＯＮ／ＯＦＦ判定信号は、判定スイッチ５８が押されている間、一定の電圧レベルを有するＨレベルとなり、判定信号パルス（判定パルス）を出力する。なお、判定スイッチ５８が押されていないときの電圧レベルは０Ｖである。
【００９１】
判定用電源５９は、判定スイッチ５８が押されたときに出力するＯＮ／ＯＦＦ判定信号の判定信号パルスを生成するための電源であり、消費電力は極めて小さいため、例えばボタン電池や乾電池から構成できる。
【００９２】
電源制御回路５６は、前述した各制御回路５４・５５・５７、各駆動回路５２・５３を動作させるための電源電圧を供給するための各電源線６１・６６・６７・７１・７３、リレースイッチ６０を介して液晶表示装置を動作させるための主電源を得る主電源線７６、並びに前述の各種イネーブル信号線７０・７２・７５を有している。
【００９３】
また、電源制御回路５６は、上記の判定スイッチ５８と判定用電源５９にも接続されており、後述のように、液晶表示装置の電源ＯＦＦと電源ＯＮとを検出し、リレースイッチ制御信号のレベルを切り替えて上記のリレースイッチ６０の開閉を制御すると共に、電源ＯＦＦの場合は、リレースイッチ６０をＯＦＦする前に、所定の期間、各電源線６１・６６・６７・７１・７３を介して、液晶表示パネル１を駆動するための電力供給を続けると共に、各種イネーブル信号線７０・７２・７５を介して、各種イネーブル信号を出力する。
【００９４】
上記の構成において、電源制御回路５６、判定スイッチ５８、及び判定用電源５９にて電源ＯＦＦ検出手段が構成され、電源制御回路５６にてパネル電力保持手段が構成され、また、消去手段は、電源制御回路５６、ソースドライバ用制御回路５４、ゲートドライバ用制御回路５５、ゲートドライバ５３、及び対向電極信号制御回路５７にて構成されている。
【００９５】
次に、上記構成を有する液晶表示装置における、ユーザにて判定スイッチ５８が押されて、液晶表示装置のＯＮ／ＯＦＦが指示されたときの動作を、図１４ないし図１６の波形図を参照しながら説明する。なお、図１６は、図１５に示した映像信号、対向電極信号の拡大図である。
【００９６】
まず、ＯＦＦ状態の液晶表示装置をＯＮさせるＯＦＦ→ＯＮ動作について説明する。
【００９７】
液晶表示装置がＯＦＦしている状態で判定スイッチ５８が一回押されると、図１４の波形図に示すように、ＯＮ／ＯＦＦ判定信号に、判定スイッチが押されている期間に相当した判定信号パルスが現れる。電源制御回路５６は、この判定信号パルスを検出すると、リレースイッチ制御信号をＨレベルにする。リレースイッチ制御信号がＨレベルの期間、リレースイッチ６０は導通状態となり、電源制御回路５６に主電源からの電圧が供給され、電源制御回路５６は、各回路に所望の信号を供給し、液晶表示装置がＯＮする。ここでリレースイッチ制御信号は、次に判定スイッチ５８が押されて判定信号パルスが入力されるまで、Ｈレベルを維持し、リレースイッチ６０を導通させ続ける。
【００９８】
続いて、ＯＮ状態の液晶表示装置をＯＦＦするＯＮ→ＯＦＦ動作について説明する。
【００９９】
液晶表示装置がＯＮしている状態で判定スイッチ５８が一回押されると、図１５の波形図に示すように、ＯＮ／ＯＦＦ判定信号に再び判定信号パルスが現れる。電源制御回路５６は、この判定信号パルスを検出すると、画像の消去を行うために、上記した各種イネーブル信号線７０・７２・７５を介して、ソースイネーブル信号、ゲートイネーブル信号、及び対向イネーブル信号を一定期間Ｈレベル出力する。
【０１００】
各種イネーブル信号がＨレベルになるまでは、通常の表示を行うため、ソースドライバ用制御回路５４においては、任意の映像信号、制御信号をソースドライバ５２へと出力し、ゲートドライバ用制御回路５５においては、通常のゲート線を順次ＯＮする制御信号が、また、対向電極信号制御回路５７においては、任意の映像信号にあった対向電極信号がそれぞれ出力されている。
【０１０１】
そして、各種イネーブル信号がＨレベルになると、ゲートドライバ用制御回路５５では、Ｈレベルのゲートイネーブル信号を元にイネーブルパルスを生成してゲートドライバ５３に出力し、ゲートドライバ５３は、そのイネーブルパルスをそのままゲート駆動信号として、上記液晶表示パネル１のｍ本のゲート線２５ｌ〜２５ｍに同時に一斉に出力する。
【０１０２】
また、このとき、ソースドライバ用制御回路５４では、ソースイネーブル信号がＨレベルの期間、通常の映像信号に替えて、図１６に示すような、対向電極信号と同相かつ同電圧レベルの矩形波信号をソースドライバ５２へ出力し、ソースドライバ５２は、供給される矩形波信号を、通常動作時と同様に、水平同期信号に同期して、前記の液晶表示パネル１のｎ本のソース線２４ｌ〜２４ｎに一斉に出力する。
【０１０３】
また、対向電極信号制御回路５７では、対向イネーブル信号がＨレベルの期間、図１６に示すような、前述のソースドライバ用制御回路５４から出力される矩
形波信号と同相かつ同電圧レベルの矩形波信号を対向電極信号として出力する。
【０１０４】
これにより、各画素２２に印加される電圧は相対的に０Ｖとなり、各画素２２の液晶は一斉に無印加の状態となって全面消灯し、液晶の残像が消去される。このように、液晶表示パネル１を全面消灯させるように駆動する際に、全ゲート線２５ｌ〜２５ｍ上の全ＴＦＴ２３を一斉ＯＮする構成では、上記の消去動作に要する時間が、最短１／２水平期間から可能であるため、非常に短い時間で残像消去が可能となる。
【０１０５】
その後、各画素２２の液晶が十分に安定した状態となった後、電源制御回路５６は、前記各種イネーブル信号をＬレベル（０レベル）に切り換え、リレースイッチ制御信号をＬレベル（０レベル）にしてリレースイッチ６０を非導通とし、主電源からの電力供給を停止する。
【０１０６】
なお、ここでは、映像信号並びに対向電極信号を矩形波信号にし、映像信号と対向電極信号の各極性を１水平期間毎に反転させているが、例えば図１７に示すように、映像信号を液晶表示パネル１の液晶がＯＦＦする液晶の閾値電圧よりも低い電圧（ＯＦＦレベル）の直流成分のみとしたり、図１８に示すように、映像信号と対向電極信号とを両方とも０Ｖ信号としてもよく、結果として各画素２２に印加される電圧が相対的に液晶がＯＮしない液晶の閾値電圧より低い状態になるのであればよい。
【０１０７】
続いて、上記のような消去動作を実施するための、ゲートドライバ５３の回路例とソースドライバ用制御回路５４内の映像信号処理部の回路例を、図１９ないし図２４を用いて説明する。
【０１０８】
ゲートドライバ５３の１例を、図１９に示す。このゲートドライバには、ゲートドライバの標準的な構造として、シフトレジスタ１０１、レベルシフタ１０２、及びバッファ回路１０３が搭載されている。シフトレジスタ１０１とレべルシフタ１０２とはそれぞれｍ段構成である。シフトレジスタ１０１（１０１1 〜１０１m ）における第１段１０１1 のデータ端子に垂直同期信号がスタート信号（ＳＰ）として供給され、各段のクロック端子に水平同期信号がクロック信号（ＣＫ）として供給され、スタート信号（１垂直同期信号）が１水平期間ずつ順次遅延されたパルスが各段の出力端子より出力され、レベルシフタ１０２（１０２1 〜１０２m ）の各段に入力され、レベルシフタ１０２が適当なレベルに調整してバッファ回路１０３に出力する。
【０１０９】
そして、上記のような消去動作を行うために、ここでは、最終段のバッファ回路１０３が、２入力ＯＲゲート１０４（１０４1 〜１０４m ）から構成され、ＯＲゲート１０４の入力の１つはレベルシフタ１０２の出力が接続され、もう一つの入力は、イネーブルパルス信号線６５が接続されている。
【０１１０】
このような構成を有するゲートドライバの要部の波形図を図２０に示す。通常動作時、バッファ回路１０３を構成する各ＯＲゲート１０４の出力、すなわちゲートドライバの出力は、ｍ本のゲート線を順次ＯＮするレベルシフタ１０２の出力がそのまま出力される。これが、通常のゲート駆動信号であり、ゲートドライバ７では、入力された上記パルスをレベル変換し、液晶表示パネル１のゲート線２５ｌ〜２５ｍに出力する（図２参照）。
【０１１１】
一方、イネーブルパルス信号線６５よりイネーブルパルスが入力されると、各ＯＲゲート１０４からは、レベルシフタ１０２の出力に替えて、イネーブルパルスそのものが出力される。これにより、液晶表示パネル１のゲート線２５ｌ〜２５ｍ上の全ＴＦＴ２３が一斉にＯＮされることとなる。
【０１１２】
ゲートドライバ５３の他の例を、図２１に示す。このゲートドライバも、シフトレジスタ１０１、レベルシフタ１０２、及びバッファ回路１０５が搭載されている。そして、ここでは、上記の消去駆動を行うために、シフトレジスタ１０１にプリセット端子１０６が設けられ、このプリセット端子１０６に前記のイネーブルパルスが入力される構成となっている。
【０１１３】
このような構成を有するゲートドライバの要部の波形図を図２２に示す。通常動作時、シフトレジスタ１０１からの出力は、上記したｍ本のゲート線を順次ＯＮする出力であるが、そのプリセット端子１０６にイネーブルパルスが入力されると、シフトレジスタ１０１の入力とは無関係に、シフトレジスタ１０１の計ｍ段の各出力は一斉にＨレベルとなる。ここでゲートドライバ用制御回路５５は、ゲートイネーブル信号がＨレベルになった時、イネーブルパルス以外の制御信号をゲートドライバ５３に出力しないようにする。
【０１１４】
ソースドライバ用制御回路５４内の映像信号処理部の一回路例を、図２３に示す。これにおいては、フリップフロップ１０７とインバータ１１３とで、水平同期信号の２分周信号を作成し、レベルシフタ１０８が、この２分周信号を、対向電極信号と同相、かつ同電圧レベルの信号に変換する。そして、３端子バッファ１０９・１１０とインバータ１１２とは、ＯＲゲート１１１から出力される信号を、ソースイネーブル信号が入力されることで、ソースドライバ用制御回路内の各色毎に設けられた図示しない信号分配回路からの出力から、レベルシフタ１０８にて変換されたこの信号へと切り替える。このような構成を有する映像信号処理部の波形図を図２４に示す。
【０１１５】
なお、ここでの説明においては、対向電極信号の制御を省略し、映像信号のみ制御する場合を記載しているが、対向電極信号も同様に制御してもよく、前記に示したように、映像信号と対向電極信号を元に、結果として液晶に印加される電圧が相対的に液晶がＯＮしない閾値より低い電圧になるのであれば消去効果は得られ、映像信号、対向電極信号共に、直流成分のみの信号で、相対的に液晶のＯＮしない電圧になる組み合わせでも構わないことは言うまでもない。
【０１１６】
〔実施の形態６〕
本発明に係る実施の他の形態について図２５、図２６に基づいて説明すれば、以下の通りである。尚、説明の便宜上、前記の実施の形態にて示した部材と同一の機能を有する部材には、同一の符号を付記し、その説明を省略する。
【０１１７】
前述の実施の形態５の液晶表示装置では、図１３に示すように、電源制御回路５６からゲートドライバ用制御回路５５には、ゲートイネーブル信号線７２を介してゲートイネーブル信号が供給され、ゲートドライバ用制御回路５５は、これを元にゲートイネーブルパルスを生成し、これをイネーブルパルス信号線６５を介してゲートドライバ５３へと供給していた。
【０１１８】
これに対し、本実施の形態の液晶表示装置では、図２５に示すように、電源制御回路８１はゲートイネーブル信号を出力せず、ゲートドライバ用制御回路８０へのゲートイネーブル信号の供給は行われない。イネーブル信号の供給は、ソースドライバ用制御回路５４と対向電極信号制御回路５７のみに行われる。言うなればゲート側のこれらゲートドライバ用制御回路８０とゲートドライバ８２とは、従来からある回路構成そのものである。
【０１１９】
したがって、ここでは消去手段は、電源制御回路８１、ソースドライバ用制御回路５４、及び対向電極信号制御回路５７にて構成されている。
【０１２０】
このような構成を有する本実施の形態の液晶表示装置における液晶表示装置のＯＮ→ＯＦＦの動作時の要部の波形図を図２６に示す。
【０１２１】
図２６に示すように、ソースドライバ用制御回路５４から出力される映像信号、及び対向電極信号制御回路５７から出力される対向電極信号は、実施の形態５の液晶表示装置と同様に、判定スイッチ５８が押されてソースイネーブル信号及び対向イネーブル信号がＨレベルになるまでは、通常の映像信号と対向電極信号であり、上記のイネーブル信号がＨレベルに切り替わると、通常の映像信号と対向電極信号に替えて、互いに同相かつ同電圧レベルの矩形波信号となる。
【０１２２】
そして、異なるのは、ゲートドライバ８２から出力されるゲート駆動信号が、引き続き通常表示時と同様の出力であり、ゲート線２５ｌ〜２５ｍ上のＴＦＴ２３をゲート線２５毎に順次ＯＮする動作を続ける点である。
【０１２３】
これによれば、１垂直期間で、各画素２２に印加される電圧が相対的に０Ｖとなり、各画素２２の液晶は無印加の状態となって全面消灯し、液晶の残像が消去されることとなる（図２参照）。
【０１２４】
このように、ゲート側にゲートイネーブル信号を入力しない構成では、残像を消去するのに要する時間は、少なくとも１垂直期間必要であるので、実施の形態５の液晶表示装置に比べて長くなるが、ゲート側のゲートドライバ８２及びゲートドライバ用制御回路８０は、既存の構成で対応できるといった利点がある。
【０１２５】
なお、ここでも、映像信号並びに対向電極信号の波形は、結果として各画素２２に印加される電圧が相対的に液晶がＯＮしない液晶の閾値電圧より低い状態になるのであればよい。
【０１２６】
〔実施の形態７〕
本発明に係る実施の他の形態について図２７ないし図３０に基づいて説明すれば、以下の通りである。尚、説明の便宜上、前記の実施の形態にて示した部材と同一の機能を有する部材には、同一の符号を付記し、その説明を省略する。
【０１２７】
前述の実施の形態５の液晶表示装置では、ゲートドライバ用制御回路５５は、電源制御回路５６よりゲートイネーブル信号線７２のＨレベルが入力されると、イネーブルパルス信号線６５を介して、イネーブルパルスをゲートドライバ５３に供給し、ゲートドライバ５３は、イネーブルパルスが入力されることで、通常のゲート駆動信号に替えて、このイネーブルパルスをそのまま一斉に全ゲート線２５ｌ〜２５ｍ上に出力していた。
【０１２８】
これに対し、本実施の形態の液晶表示装置では、図２７に示すように、ゲートドライバ用制御回路８５は、電源制御回路５６よりＨレベルのゲートイネーブル信号が入力されると、Ｈレベルのゲートイネーブル信号をゲートドライバ８２のスタート信号（ＳＰ）として、ゲート制御信号線６４を介して出力するようになっている。
【０１２９】
つまり、ここでは、消去手段は、電源制御回路５６、ソースドライバ用制御回路５４、ゲートドライバ用制御回路８５にて構成されている。
【０１３０】
このような構成を有する本実施の形態の液晶表示装置における液晶表示装置のＯＮ→ＯＦＦの動作時の要部の波形図を図２８に示す。
【０１３１】
図２８に示すように、ソースドライバ用制御回路５４から出力される映像信号、及び対向電極信号制御回路５７から出力される対向電極信号は、実施の形態５の液晶表示装置と同様に、判定スイッチ５８が押されてソースイネーブル信号及び対向イネーブル信号がＨレベルになるまでは、通常の映像信号と対向電極信号であり、上記のイネーブル信号がＨレベルに切り替わると、通常の映像信号と対向電極信号に替えて、互いに同相かつ同電圧レベルの矩形波信号となる。
【０１３２】
そして、異なるのは、ゲートドライバ８２から出力されるゲート駆動信号が、ゲートイネーブル信号がＨレベルの期間がずっとＨレベル出力となる点である。
このＨレベルの電圧値は、電源電圧に依存する。
【０１３３】
これによれば、１垂直期間後には、各画素２２に印加される電圧が相対的に０Ｖとなり、各画素２２の液晶は一斉に無印加の状態となって全面消灯し、液晶の残像が消去されることとなる（図２参照）。
【０１３４】
このように、ゲートドライバ８２の出力を、ゲートイネーブル信号が入力されている間、一定の電圧に固定する構成では、前述の実施の形態５の構成程ではないが、実施の形態６の構成よりも、消去動作に要する時間を短くできる。しかも、ゲートドライバ８２は、既存の構成で対応できるといった利点もある。
【０１３５】
なお、ここでも、映像信号並びに対向電極信号の波形は、結果として各画素２２に印加される電圧が相対的に液晶がＯＮしない液晶の閾値電圧より低い状態になるのであればよい。
【０１３６】
続いて、上記のような駆動を行い得る、ゲートドライバ用制御回路８５の回路例を、図２９、図３０を用いて説明する。
【０１３７】
ゲートドライバ用制御回路８５の一例を図２９に示す。ゲートドライバ用制御回路は、標準的にコントロールＩＣ１２１を搭載しており、入力されるクロック信号や水平同期信号、垂直同期信号などにより、ゲートドライバを制御するための信号を作成している。その制御信号の内のスタート信号（ＳＰ’）の出力と、前記ゲートイネーブル信号線より得られるゲートイネーブル信号とをＯＲゲート１２２に入力し、その出力を新たなスタート信号（ＳＰ）とする。このスタート信号により、前記のような消去動作が可能となる。
【０１３８】
また、その他、上記の実施の形態５・６・７においては、判定用電源５９として乾電池やボタン電池等を用いる構成としていたが、判定用電源５９として充電池を採用し、液晶表示装置が動作している間に該液晶表示装置を駆動するための主電源から、この充電池を充電する構成としてもよい。特に、ノートパソコンや、形態情報端末等は、充電池が元々採用されているので、このような構成とすることで、ボタン電池や乾電池等を別途備える必要がなくなる。
【０１３９】
さらに、デスクトップ型の情報端末等、常時、ＡＣ電源等から主電源を得ている液晶表示装置の場合でも、主電源線７６より供給される電圧とは別に、判定用電源５９にＡＣ電源を供給するという形式をとれば、充電池を用いる構成と同様、ボタン電池や乾電池等を別途備える必要がなくなる。そして、この場合、停電等予期しない電源供給の停止時を想定して、予め小型電池を搭載すれば、なお望ましい。
【０１４０】
所謂、民生用電子機器のパワーのＯＮ／ＯＦＦ（上記では電源のＯＮ／ＯＦＦと表現）の制御は、トグルスイッチ等のロック式のスイッチではなく、上記した判定スイッチ５８のように、タクトスイッチ等のシステム的に接続或いは切断を行う、非ロック式のキースイッチを押すことで行うことが一般的である。この方式は、出力端子よりストローブ信号を出力し、その信号がキースイッチが押されていると、入力端子に入力し、パワー出力をＯＮ／ＯＦＦする構成であり、このような構成において、主電源からの電力カットをＯＮ→ＯＦＦの動作時一定期間遅延させるのは、上述したようにすることで容易に実現できる。
【０１４１】
なお、本発明の液晶表示画像の消去装置は、画素がアクティブ素子にて駆動される液晶表示パネルを有する液晶表示装置に備えられ、液晶表示装置の電源ＯＦＦ時に液晶表示パネルの表示画像を消去させる表示画像の消去装置であって、液晶表示装置の電源をＯＦＦとするように指示する信号を検出すると、電源ＯＦＦ信号を出力する電源ＯＦＦ検出手段と、上記電源ＯＦＦ信号が出力されると、上記液晶表示パネルに電源電力を一定期間供給した後、電力供給を遮断するパネル電力保持手段と、上記一定期間内に、上記液晶表示パネルの全ての画素を消灯状態にする消去手段とを含み、上記液晶表示パネルは、各画素毎に設けられた画素電極と、液晶を挟んで画素電極に対向する対向電極とを備え、上記消去手段は、上記液晶表示パネルのソース線に映像信号を出力するソースドライバと、上記ソースドライバを制御するソースドライバ用制御回路と、上記対向電極に対向電極信号を出力する対向電極制御回路とを備え、上記一定期間に選択レベルとなるソースイネーブル信号が上記ソースドライバ用制御回路に入力されることにより、上記パネル電力保持手段から供給される電力を利用して、上記画素電極および上記対向電極に液晶がＯＦＦとなる電圧を印加する構成とすることもできる。
【０１４２】
これによれば、液晶表示装置の電源がＯＦＦされると、電源ＯＦＦ検出手段がこれを検出し、パネル電力保持手段が、液晶表示装置の電源がＯＦＦされた後も液晶表示パネルに供給される電源電力を一定期間保持する。これにより、液晶表示装置の電源がＯＦＦされた後も液晶表示パネルの駆動が可能となる。
【０１４３】
そして、電源ＯＦＦ検出手段にて電源ＯＦＦが検出されると、消去手段が、液晶表示パネルを駆動する各回路を一定期間通電状態とし、アクティブ素子をＯＮすると共に、映像信号や対向電極信号に積極的に液晶に印加される電圧が液晶がＯＦＦする電圧となるように制御し、液晶表示パネルを全面消灯させる。
【０１４４】
これにより、残像が速やかに消去されることとなり、速やかに残像が消去されるということは即ち、短時間で保持された液晶の電荷が放電されるということであり、異常電圧による液晶の劣化も抑制できる。
【０１４５】
上記の構成では、残像消去に際して一旦液晶に飽和電圧を印加して液晶の復元力を高めるようになっているが、液晶によっては、一旦飽和電圧を印加せずとも、アクティブ素子をＯＮした状態で映像信号や対向電極信号に積極的に液晶に印加される電圧が液晶がＯＦＦする電圧となるように制御して全面消灯させることで、十分高速に残像が消去されるものもある。
【０１４６】
このように、液晶表示装置の電源がＯＦＦされたとき、消去手段が、アクティブ素子をＯＮすると共に、映像信号や対向電極信号に積極的に液晶に印加される電圧が液晶がＯＦＦする電圧となるように制御し、液晶表示パネルを全面消灯させることで、残像が速やかに消去されることとなり、速やかに残像が消去されるということは即ち、短時間で保持された液晶の電荷が放電されるということであり、異常電圧による液晶の劣化も抑制できる。
【０１４７】
その結果、電源ＯＦＦ時における液晶の劣化の問題や、表示品位の悪化を確実に改善することが可能となるという効果を奏する。
【０１４８】
本発明の液晶表示画像の消去装置は、画素がアクティブ素子にて駆動される液晶表示パネルを有する液晶表示装置に備えられ、液晶表示装置の電源ＯＦＦ時に液晶表示パネルの表示画像を消去させる表示画像の消去装置であって、液晶表示装置の電源をＯＦＦとするように指示する信号を検出すると、電源ＯＦＦ信号を出力する電源ＯＦＦ検出手段と、上記電源ＯＦＦ信号が出力されると、上記液晶表示パネルに電源電力を一定期間供給した後、電力供給を遮断するパネル電力保持手段と、上記一定期間内に、上記液晶表示パネルの全ての画素がＯＦＦレベルとなるような電圧を上記液晶表示パネルの全ての画素に印加する消去手段とを含み、上記液晶表示パネルは、各画素毎に設けられた画素電極と、液晶を挟んで画素電極に対向する対向電極とを備え、上記消去手段は、上記液晶表示パネルのソース線に映像信号を出力するソースドライバと、上記ソースドライバを制御するソースドライバ用制御回路と、上記対向電極に対向電極信号を出力する対向電極制御回路とを備え、上記一定期間に選択レベルとなるソースイネーブル信号が上記ソースドライバ用制御回路に入力されることにより、上記パネル電力保持手段から供給される電力を利用して、上記画素電極および上記対向電極に液晶がＯＦＦとなる電圧を印加する構成とすることもできる。
【０１４９】
これによれば、液晶表示装置の電源がＯＦＦされると、電源ＯＦＦ検出手段がこれを検出し、パネル電力保持手段が、液晶表示装置の電源がＯＦＦされた後も液晶表示パネルに供給される電源電力を一定期間保持する。これにより、液晶表示装置の電源がＯＦＦされた後も液晶表示パネルの駆動が可能となる。
【０１５０】
そして、電源ＯＦＦ検出手段にて電源ＯＦＦが検出されると、消去手段が、液晶表示パネルを駆動する各回路を一定期間通電状態とし、アクティブ素子をＯＮすると共に、映像信号や対向電極信号に積極的に液晶に印加される電圧が液晶がＯＦＦする電圧となるように制御し、液晶表示パネルの全ての画素がＯＦＦレベルとなる。
【０１５１】
これにより、残像が速やかに消去されることとなり、速やかに残像が消去されるということは即ち、短時間で保持された液晶の電荷が放電されるということであり、異常電圧による液晶の劣化も抑制できる。
【０１５２】
上記の構成では、残像消去に際して一旦液晶に飽和電圧を印加して液晶の復元力を高めるようになっているが、液晶によっては、一旦飽和電圧を印加せずとも、アクティブ素子をＯＮした状態で映像信号や対向電極信号に積極的に液晶に印加される電圧が液晶がＯＦＦする電圧となるように制御して全面消灯させることで、十分高速に残像が消去されるものもある。
【０１５３】
このように、液晶表示装置の電源がＯＦＦされたとき、消去手段が、アクティブ素子をＯＮすると共に、映像信号や対向電極信号に積極的に液晶に印加される電圧が液晶がＯＦＦする電圧となるように制御し、液晶表示パネルの全ての画素がＯＦＦレベルとすることで、残像が速やかに消去されることとなり、速やかに残像が消去されるということは即ち、短時間で保持された液晶の電荷が放電されるということであり、異常電圧による液晶の劣化も抑制できる。
【０１５４】
その結果、電源ＯＦＦ時における液晶の劣化の問題や、表示品位の悪化を確実に改善することが可能となるという効果を奏する。
【０１５５】
本発明の液晶表示画像の消去装置は、上記構成において、上記の消去手段は、さらに、上記液晶表示パネルのゲート線にゲート信号を出力するゲートドライバと、上記ゲートドライバを制御するゲートドライバを制御するゲートドライバ用制御回路とを備え、上記一定期間に選択レベルとなるゲートイネーブル信号が上記ゲートドライバ用制御回路に入力されることにより、上記パネル電極保持手段から供給される電力を利用して、上記ゲート線にゲート信号を出力する構成とすることもできる。
【０１５６】
これによれば、ゲートドライバから出力する信号は、すべてのスイッチング素子を一斉にアクティブ状態にする信号を出力するので、消去動作に要する時間が、最短１／２水平期間から可能であり、非常に短い時間で残像を消去できる。
【０１５７】
本発明の液晶表示画像の消去装置は、前記構成において、上記の消去手段は、上記イネーブル信号が上記ゲートドライバのスタート信号としてゲートドライバに入力される構成とすることもできる。
【０１５８】
これによれば、アクティブ素子は通常の駆動と同様に１行毎に順次ＯＮされるので、残像を消去するのに要する時間は、少なくとも１垂直期間必要であり、上記の構成に比べて長くなるが、ゲート駆動信号を出力するのに必要なゲートドライバやその制御回路等は既存の構成で対応できるといった利点がある。
【０１５９】
すなわち、これにより、残像を消去するのに要する時間は、前記構成に比べて長くなるが、ゲート駆動信号を出力するのに必要なゲートドライバやその制御回路等は既存の構成で対応できるといった効果を奏する。
【０１６０】
本発明の液晶表示画像の消去装置は、前記構成において、上記消去手段は、上記ゲート信号が一定レベルの電圧に固定される構成とすることもできる。
【０１６１】
これによれば、前記構成よりも、消去動作に要する時間を短くでき、しかも、ゲート駆動信号を出力するのに必要なゲートドライバを既存の構成で対応できるといった利点もある。
【０１６２】
また、本発明の液晶表示画像の消去方法は、画素がアクティブ素子にて駆動される液晶表示パネルを有する反射型液晶表示装置における、液晶表示装置の電源ＯＦＦ時に液晶表示パネルの表示画像を消去させる表示画像の消去方法であって、液晶表示装置の電源がＯＦＦされたことを検出する電源ＯＦＦ検出ステップと、液晶表示装置の電源がＯＦＦされた後も液晶表示パネルに供給される電源電力を一定期間保持するパネル電力保持手段と、上記電源ＯＦＦ検出手段にて電源ＯＦＦが検出されると、上記パネル電力保持手段からの電力供給にて、上記液晶表示パネルを液晶飽和電圧にて全面点灯させ、その後続けて全面消灯させる消去手段とを有することができる。
【０１６３】
これによれば、液晶表示装置の電源がＯＦＦされると、電源ＯＦＦ検出ステップによってこれが検出され、パネル電力保持ステップによって、液晶表示装置の電源がＯＦＦされた後も液晶表示パネルに供給される電源電力を一定期間保持する。これにより、液晶表示装置の電源がＯＦＦされた後も液晶表示パネルを駆動できる。
【０１６４】
そして、電源ＯＦＦ検出ステップにて電源ＯＦＦが検出されると、消去ステップにて、パネル電力保持ステップによる電力供給にて、液晶表示パネルを液晶飽和電圧にて全面点灯させ、その後続けて全面消灯させる。
【０１６５】
これにより、たとえ液晶表示パネルに中間調の画像が表示され、液晶のひずみが小さくて復元のためのエネルギーが小さくても、一旦、液晶表示パネルの液晶に飽和電圧が印加されて復元のためのエネルギーが充分に高められるので、その後の全面消灯にて液晶が速やかに元の状態に戻り、速やかに残像が消去されることとなる。
【０１６６】
そして、速やかに残像が消去されるということは即ち、短時間で保持された液晶の電荷が放電されるということであり、異常電圧による液晶の劣化も抑制できる。
【０１６７】
その結果、電源ＯＦＦ時における液晶の劣化の問題や、表示品位の悪化を確実に改善することが可能となる。
【０１６８】
また、上記消去ステップは、全面点灯後続けて全面消灯する際、液晶に印加される電圧が液晶がＯＦＦする電圧となるように液晶表示パネルを駆動することで、より速やかに残像を消去させることができる。
【０１６９】
前述の図３２（ａ)(ｂ）に示すように、例えば階調６の表示状態で電源がＯＦＦされた場合、そのままであれば階調８の黒状態に戻るには３２０ｍｓｅｃ要するが、一旦、飽和電圧が印加されて階調１の状態を経由することで、７０ｍｓｅｃ余りで消去される。
【０１７０】
アクティブ素子としてＴＦＴ（Thin Film Transistor) 素子を使用する場合、保持率の高い液晶が必要とされ、一般には比抵抗の高い液晶（一般的には１×１０12Ω・ｃｍ）以上が使用されているが、このような比抵抗の高い液晶は、放電時間が長いため残像がさらに消え難い。このような場合、上記のように一旦飽和電圧を印加してからＯＦＦ電圧を印加することが、非常に効果的である。
【０１７１】
そして、速やかに残像が消去されるということは即ち、短時間で保持された液晶の電荷が放電されるということであり、異常電圧による液晶の劣化も抑制できる。
【０１７２】
また、電源ＯＦＦ時における液晶の劣化の問題や、表示品位の悪化をより確実に改善することが可能となる。
【０１７３】
また、本発明の液晶表示画像の消去方法は、上記の構成において、上記の消去手段は、ゲートドライバより１垂直期間以上の一定期間、ゲート線を順次ＯＮしてアクティブ素子をゲート線毎にＯＮするゲート駆動信号を出力させ、この期間にソースドライバより全面点灯するような映像信号を出力させ、その後続けて、ゲートドライバより１垂直期間以上の一定期間、ゲート線を順次ＯＮしてアクティブ素子をゲート線毎にＯＮするゲート駆動信号を出力させ、この期間にソースドライバより全面消灯するような映像信号を出力させることができる。
【０１７４】
これは、上記消去ステップを、実現する一構成であり、上記のようにゲートドライバとソースドライバを駆動することで、液晶表示パネルは、１垂直期間以上の一定期間に全面点灯され、その後、１垂直期間以上の一定期間に全面消灯されるので、消去ステップを容易に構成できる。
【０１７５】
また、これにより、上記消去ステップを、ゲート側の構成はそのままで、ソース側の構成変更で容易に実現することが可能である。
【０１７６】
また、本発明の液晶表示画像の消去方法は、上記の構成において、上記の消去ステップは、ゲートドライバより１垂直期間内の垂直帰線期間に全ゲート線上のアクティブ素子を同時にＯＮさせるゲート駆動信号を出力させるゲート側補償ステップと、該ゲート側補償ステップにより出力されるゲート駆動信号と同期するように全面点灯するような映像信号をソースドライバより出力させるソース側補償ステップとを有しており、１垂直帰線期間に液晶表示パネルを全面点灯させることができる。
【０１７７】
これによれば、消去ステップに備えられたソース側補償ステップとゲート側補償ステップとにより、液晶表示装置の電源ＯＦＦ時の全面点灯が１垂直期間の垂直帰線期間を利用して行われる。したがって、ソース側及びゲート側の両方に構成の変更が必要ではあるが、１垂直期間内で液晶表示パネルの全面点灯・全面消灯が可能となり、上記の構成よりも更に速く液晶の残像を消去でき、液晶の劣化を更に効果的に抑制できる。
【０１７８】
また、本発明の液晶表示画像の消去方法は、上記の構成において、上記の消去ステップは、ゲートドライバより１垂直期間内の垂直帰線期間及び該期間を超えて全ゲート線上のアクティブ素子を同時にＯＮさせるようなゲート駆動信号を出力させるゲート側補償ステップと、該ゲート側補償ステップより出力されるゲート駆動信号と同期するように、全面点灯、続けて全面消灯するような映像信号をソースドライバより出力させるソース側補償ステップとを有していることができる。
【０１７９】
これによれば、消去ステップに備えられたソース側補償ステップとゲート側補償ステップとにより、液晶表示装置の電源ＯＦＦ時の全面点灯及び全面消灯が、１垂直期間よりも更に短い期間で実施できるので、ソース側及びゲート側の両方に構成の変更が必要ではあるが、上記の構成よりも更に速く液晶の残像を消去でき、液晶の劣化を更に効果的に抑制できる。
【０１８０】
また、本発明の液晶表示画像の消去方法は、上記の構成において、上記の消去ステップ段は、ゲートドライバより１垂直期間以上の一定期間、ゲート線を順次ＯＮしてアクティブ素子をゲート線毎にＯＮするゲート駆動信号を出力させ、この期間にソースドライバより上記液晶表示パネルの全ての画素がＯＮレベルとなるような映像信号を出力させ、その後続けて、ゲートドライバより１垂直期間以上の一定期間、ゲート線を順次ＯＮしてアクティブ素子をゲート線毎にＯＮするゲート駆動信号を出力させ、この期間にソースドライバより上記液晶表示パネルの全ての画素がＯＦＦレベルとなるようするような映像信号を出力させることができる。
【０１８１】
これにより、上記した消去ステップを、ゲート側の構成はそのままで、ソース側の構成変更で容易に実現することが可能である。
【０１８２】
【発明の効果】
以上のように、本発明の液晶表示画像の消去方法は、画素がアクティブ素子にて駆動される中間調画像が表示できる液晶表示パネルを有し、外部からの入射光を反射させて表示を行う反射型の液晶表示装置における、該液晶表示装置の主電源ＯＦＦ時に液晶表示パネルの表示画像を消去させる表示画像の消去方法であって、上記液晶表示装置の主電源がＯＦＦされたことを検出する電源ＯＦＦ検出ステップと、上記液晶表示装置の主電源がＯＦＦされた後も液晶表示パネルに供給される電源電力を一定期間保持するパネル電力保持ステップと、上記電源ＯＦＦ検出ステップにて主電源ＯＦＦが検出されると、上記液晶表示装置の補助電源からの電力供給にて、上記液晶表示パネルの全ての画素がＯＮレベルとなるように液晶飽和電圧を上記液晶表示パネルの全ての画素の液晶に印加し、その後、上記液晶表示パネルの全ての画素がＯＦＦレベルとなるような電圧を上記液晶表示パネルの全ての画素に印加する消去ステップとを有し、上記の消去ステップは、ゲートドライバより１垂直期間内の垂直帰線期間に全ゲート線上のアクティブ素子を同時にＯＮさせるゲート駆動信号を出力させるゲート側補償ステップと、上記ゲート駆動信号と同期するように液晶表示パネルの全ての画素をＯＮレベルとするような映像信号をソースドライバより出力させるソース側補償ステップとを有しており、１垂直帰線期間に液晶表示パネルの全ての画素がＯＮレベルとなるようにさせるとともに、上記ソース側補償ステップは、上記ゲート駆動信号と同期するように液晶表示パネルの全ての画素をＯＮレベルとするような映像信号を、複数の色の映像信号からなる複合状態で生成する構成である。
【０１８３】
また、本発明の液晶表示画像の消去方法は、画素がアクティブ素子にて駆動される中間調画像が表示できる液晶表示パネルを有する外部からの入射光を反射させて表示を行う反射型の液晶表示装置における、該液晶表示装置の主電源ＯＦＦ時に液晶表示パネルの表示画像を消去させる表示画像の消去方法であって、上記液晶表示装置の主電源がＯＦＦされたことを検出する電源ＯＦＦ検出ステップと、上記液晶表示装置の主電源がＯＦＦされた後も液晶表示パネルに供給される電源電力を一定期間保持するパネル電力保持ステップと、上記電源ＯＦＦ検出ステップにて主電源ＯＦＦが検出されると、上記液晶表示装置の補助電源からの電力供給にて、上記液晶表示パネルの全ての画素がＯＮレベルとなるように液晶飽和電圧を上記液晶表示パネルの全ての画素の液晶に印加し、その後、上記液晶表示パネルの全ての画素がＯＦＦレベルとなるような電圧を上記液晶表示パネルの全ての画素に印加する消去ステップとを有し、上記の消去ステップは、ゲートドライバより１垂直期間内の垂直帰線期間及び該期間を超えて全ゲート線上のアクティブ素子を同時にＯＮさせるようなゲート駆動信号を出力させるゲート側補償ステップと、上記ゲート駆動信号と同期するように、上記全ての画素をＯＮレベルとした後続けて全ての画素をＯＦＦレベルとするような映像信号をソースドライバより出力させるソース側補償ステップとを有しており、上記ソース側補償ステップは、上記ゲート駆動信号と同期するように液晶表示パネルの全ての画素をＯＮレベルとするような映像信号を、複数の色の映像信号からなる複合状態で生成する構成である。
【０１８４】
これにより、たとえ液晶表示パネルに中間調の画像が表示され、液晶のひずみが小さくて復元のためのエネルギーが小さくても、一旦、液晶表示パネルの液晶に飽和電圧が印加されて復元のためのエネルギーが充分に高められるので、その後の全ての画素をＯＦＦレベルとすることにより、液晶が速やかに元の状態に戻り、速やかに残像が消去されることとなる。そして、速やかに残像が消去されるということは即ち、短時間で保持された液晶の電荷が放電されるということであり、異常電圧による液晶の劣化も抑制できる。
【０１８５】
また、液晶表示装置の電源ＯＦＦ時の全面点灯が、１垂直期間の垂直帰線期間を利用して行われるので、ソース側及びゲート側の両方に構成の変更が必要ではあるが、１垂直期間内で液晶表示パネルの全面点灯・全面消灯が可能となり、上記の構成よりも更に速く液晶の残像を消去でき、液晶の劣化を更に効果的に抑制できるという効果を奏する。
【０１８６】
また、液晶表示装置の電源ＯＦＦ時の全面点灯及び全面消灯が、１垂直期間よりも更に短い期間で実施できるので、ソース側及びゲート側の両方に構成の変更が必要ではあるが、上記の構成よりも更に速く液晶の残像を消去でき、液晶の劣化を更に効果的に抑制できるという効果を奏する。
【０１８７】
また、上記の構成による効果に加えて、映像信号分配手段の出力側でソース側補償ステップを設けた構成に比べてソース側補償ステップが簡易にできるという効果を奏する。
【０１８８】
本発明の液晶表示画像の消去方法は、上記の構成において、上記液晶表示装置に設けられた主電源のスイッチは、一回のスイッチ操作毎に判定パルスを出力し、上記電源ＯＦＦ検出ステップは、液晶表示装置がＯＮされている状態で該判定パルスが入力されたとき液晶表示装置の主電源がＯＦＦされたことを検出し、上記パネル電力保持ステップは、上記電源ＯＦＦ検出ステップにて主電源のＯＦＦが検出されると、液晶表示装置に主電源手段からの電力供給を行う主電源線上に配設されたスイッチ手段を、所定の時間経過した後にＯＦＦさせる構成である。
【０１８９】
これにより、パネル電力保持手段を、補助電源等を別個に設けることなく、システム的に実現でき、民生用電子機器のパワーＯＮ／ＯＦＦ制御に対応した構成である。その結果、このような消去装置を搭載することによる、液晶表示装置そのものの大型化やコストアップを回避できるという効果を奏する。
【０１９０】
また、本発明の別の液晶表示方法は、上記何れかに記載の液晶表示画像の消去方法を含んでいる、ゲストホスト型の液晶表示パネルを有する液晶表示装置の液晶表示方法である。
【０１９１】
これにより、表示品位の優れたゲストホスト型の液晶表示装置を実現できる。
【図面の簡単な説明】
【図１】  本発明に係る第１の実施の形態の液晶表示装置のブロック図である。
【図２】  上記液晶表示装置に備えられたアクティブマトリクス型の液晶表示パネルの等価回路図である。
【図３】  上記液晶表示装置の主電源がＯＦＦされるときの、液晶表示パネルに印加される駆動信号の波形図である。
【図４】  本発明に係る第２の実施の形態の液晶表示装置のブロック図である。
【図５】  上記液晶表示装置におけるパネル点灯制御手段のソース側補償手段の一部を構成するソース側補償回路の回路図である。
【図６】  上記液晶表示装置におけるパネル点灯制御手段のゲート側補償手段の一部を構成するゲート側補償回路の回路図である。
【図７】  上記液晶表示装置の主電源がＯＦＦされるときの、液晶表示パネルに印加される駆動信号の波形図である。
【図８】  本発明に係る第２の実施の形態の他の構成の液晶表示装置のブロック図である。
【図９】  本発明に係る第２の実施の形態の他の構成の液晶表示装置のブロック図である。
【図１０】  本発明に係る第３、第４の実施の形態の液晶表示装置のブロック図である。
【図１１】  第３の実施の形態の液晶表示装置の主電源がＯＦＦされるときの、液晶表示パネルに印加される駆動信号の波形図である。
【図１２】  第４の実施の形態の液晶表示装置の主電源がＯＦＦされるときの、液晶表示パネルに印加される駆動信号の波形図である。
【図１３】  本発明に係る第５の実施の形態の液晶表示装置のブロック図である。
【図１４】  第５の実施の形態の液晶表示装置のＯＦＦ→ＯＮ時に出力されるＯＮ／ＯＦＦ判定信号及びリレースイッチ制御信号の波形図である。
【図１５】  第５の実施の形態の液晶表示装置のＯＮ→ＯＦＦ時に出力される要部の信号波形図である。
【図１６】  図１５に示す映像信号と対向電極信号とを詳細に説明するための波形図である。
【図１７】  第５の実施の形態の液晶表示装置の別の構成における、ＯＮ→ＯＦＦ時に出力される要部の信号波形図である。
【図１８】  第５の実施の形態の液晶表示装置のさらに別の構成における、ＯＮ→ＯＦＦ時に出力される要部の信号波形図である。
【図１９】  第５の実施の形態の液晶表示装置におけるゲートドライバの構成例を示す回路図である。
【図２０】  図１９に示すゲートドライバ駆動時の要部の信号波形図である。
【図２１】  第５の実施の形態の液晶表示装置におけるゲートドライバの別の構成例を示す回路図である。
【図２２】  図２１に示すゲートドライバの要部の信号波形図である。
【図２３】  第５の実施の形態の液晶表示装置におけるソースドライバ用制御回路における映像信号処理部の構成例を示す回路図である。
【図２４】  図２３に示す映像信号処理部の要部の信号波形図である。
【図２５】  本発明に係る第６の実施の形態の液晶表示装置のブロック図である。
【図２６】  第６の実施の形態の液晶表示装置のＯＮ→ＯＦＦ時に出力される要部の信号波形図である。
【図２７】  本発明に係る第７の実施の形態の液晶表示装置のブロック図である。
【図２８】  第７の実施の形態の液晶表示装置のＯＮ→ＯＦＦ時に出力される要部の信号波形図である。
【図２９】  第７の実施の形態の液晶表示装置におけるゲートドライバの構成例を示す回路図である。
【図３０】  図２９に示すゲートドライバの要部の信号波形図である。
【図３１】  従来の液晶表示装置の主電源がＯＦＦされるときの、液晶表示パネルに印加される駆動信号の波形図である。
【図３２】  （ａ）は液晶の階調間の応答速度を示すグラフであり、（ｂ）は階調数と印加電圧、及びこれらと透過率との関係を示すグラフである。
【符号の説明】
１                液晶表示パネル
２                ソース駆動部
３                ゲート駆動部
４，４’，３５    ドライバコントローラ（消去手段）
５                映像信号分配回路（映像信号分配手段）
６                ソースドライバ
７                ゲートドライバ
８，８’，８”    駆動信号発生回路（消去手段）
１０              補助電源（パネル電力保持手段）
１１              マイクロコンピュータ（電源ＯＦＦ検出手段）
１４              主電源
５２              ソースドライバ
５３              ゲートドライバ（消去手段）
５４              ソースドライバ用制御回路（消去手段）
５５，８０，８５  ゲートドライバ用制御回路（消去手段）
５６，８１        電源制御回路（電源ＯＦＦ検出手段、消去手段）
５７              対向電極信号制御回路（消去手段）
５８              判定スイッチ（電源のスイッチ、電源ＯＦＦ検出手段）
５９              判定用電源（電源ＯＦＦ検出手段）
６０              リレースイッチ（スイッチ手段）
７６              主電源線
【図１】
0003872021.tif 000002
【図２】
0003872021.tif 000003
【図３】
0003872021.tif 000004
【図４】
0003872021.tif 000005
【図５】
0003872021.tif 000006
【図６】
0003872021.tif 000007
【図７】
0003872021.tif 000008
【図８】
0003872021.tif 000009
【図９】
0003872021.tif 000010
【図１０】
0003872021.tif 000011
【図１１】
0003872021.tif 000012
【図１２】
0003872021.tif 000013
【図１３】
0003872021.tif 000014
【図１４】
0003872021.tif 000015
【図１５】
0003872021.tif 000016
【図１６】
0003872021.tif 000017
【図１７】
0003872021.tif 000018
【図１８】
0003872021.tif 000019
【図１９】
0003872021.tif 000020
【図２０】
0003872021.tif 000021
【図２１】
0003872021.tif 000022
【図２２】
0003872021.tif 000023
【図２３】
0003872021.tif 000024
【図２４】
0003872021.tif 000025
【図２５】
0003872021.tif 000026
【図２６】
0003872021.tif 000027
【図２７】
0003872021.tif 000028
【図２８】
0003872021.tif 000029
【図２９】
0003872021.tif 000030
【図３０】
0003872021.tif 000031
【図３１】
0003872021.tif 000032
【図３２】
0003872021.tif 000033